(57)【要約】【課題】従来、視覚障害者や高齢者は日常生活において歩行する際、杖や、人の手肩を借りたり、盲導犬を利用したりして歩行していたが、目の前や足元の安全に非常に神経を使っていた。【解決手段】リュックサックの背面に手で掴める誘導ベルトを適宜の位置に単数又は複数設けたものであり、視覚障害者や高齢者は誘導者が背負った誘導ベルト付きリュックサックの誘導ベルトを握って安心して歩行することができる。【選択図】  図１
2004209190.tif 000002
【特許請求の範囲】
【請求項１】
リュックサックの背面に手で掴める誘導ベルトを、適宜の位置に単数又は複数設けたことを特徴とする誘導ベルト付きリュックサック。
【請求項２】
リュックサックの背面に手で掴める誘導ベルトを、縦に左右相対して設けたことを特徴とする請求項１記載の誘導ベルト付きリュックサック。
【請求項３】
リュックサックの背面に手で掴める誘導ベルトを、横に任意数設けたことを特徴とする請求項１記載の誘導ベルト付きリュックサック。
【請求項４】
リュックサックの背面に手で掴める誘導ベルトを、斜めに任意数設けたことを特徴とする請求項１記載の誘導ベルト付きリュックサック。
【請求項５】
リュックサックの背面に手で掴める誘導ベルトを、吊り輪状にしたものを任意数設けたことを特徴とする請求項１記載の誘導ベルト付きリュックサック。
【請求項６】
誘導ベルトには、布材が用いられた請求項１記載の誘導ベルト付きリュックサック。
【請求項７】
誘導ベルトには、皮材や合成皮材が用いられた請求項１記載の誘導ベルト付きリュックサック。
【請求項８】
誘導ベルトには、合成繊維が用いられた請求項１記載の誘導ベルト付きリュックサック。
【請求項９】
誘導ベルトには、合成樹脂が用いられた請求項１記載の誘導ベルト付きリュックサック。
【請求項１０】
誘導ベルトの一部に、木材を用いた請求項１記載の誘導ベルト付きリュックサック。
【発明の詳細な説明】
【０００１】
【発明の属する技術分野】
本発明は、視覚障害者や高齢者を日常生活において歩行させる際に、手助けするための誘導ベルト付きリュックサックに関するものである。
【０００２】
【従来の技術】
従来、視覚障害者や高齢者は杖で前を確かめたり、人に手を引いてもらったり、肩に手を掛けさせてもらったりして歩行していた。また視覚障害者の中には盲導犬に誘導してもらい歩行する人もいる。
【０００３】
【特許文献１】
特開平１０−１１７８９７にあるのとは、目的及び使用内容が異なる。
【０００４】
【発明が解決しようとする課題】
しかし、従来の技術では視覚障害者や高齢者は、杖を持って前を確かめながら歩行するので時間が掛かり過ぎる、また手を引いてもらったり、肩に手を掛けさせてもらったりして歩行する際も目の前や足元の安全に神経を使い疲れる。盲導犬も数が少なく育てるには訓練が必要で月日が掛かるという問題を有していた。
【０００５】
そこで本発明は、上述した従来の欠陥を補い視覚障害者や高齢者を、日常生活において歩行させる際に、今までよりも時間が短縮でき目の前や足元の安全に神経を使い過ぎる事なく、また少数の盲導犬を持たなくても視覚障害者や高齢者を誘導することができる誘導ベルト付きリュックサックを提供する事を目的としたものである。
【０００６】
【課題を解決するための手段】
そして、本発明は上記目的を達成するためにリュックサックの背面に被誘導者が手で掴める誘導ベルトを設けた。これにより視覚障害者や高齢者は誘導者が背負った誘導ベルト付きリュックサックの誘導ベルトにつかまって歩いて行けば、前方の安全確認は前に立った誘導者がするので安心してついて行くことが出来る。又、元気な高齢者も多く見えるので、その人たちが誘導者となりお互い助けあって行けば若い介護者や盲導犬が少なくて済む。
【０００７】
【発明の実施の形態】
以下、本発明の実施の形態について図面を参照しながら説明する。
図１から図５までは、それぞれ誘導ベルトの形状の違いを示したものである。
【０００８】
請求項１記載の発明は、リュックサックの背面部２に手で掴める誘導ベルト３を、適宜の位置に単数または複数設けたことを特徴とする。誘導ベルト付きリュックサック１であり、視覚障害者や高齢者を誘導ベルト３につかまらせて安全に誘導することができる。
【０００９】
請求項２に記載の発明は、図２のリュックサックの背面部２に手で掴める誘導ベルト３を、縦に左右相対して設けた請求項１に記載の誘導ベルト付きリュックサックであり、掴む位置が上下に移動できるので誘導者と、被誘導者との身長差があっても対応出来る。
【００１０】
請求項３に記載の発明は、図３のリュックサックの背面部２に手で掴める誘導ベルト３を、横に任意数設けた請求項１に記載の誘導ベルト付きリュックサック１であり掴む位置が左右に容易に移動出来る。
【００１１】
請求項４に記載の発明は、図４のリュックサックの背面部２に手で掴める誘導ベルト３を、斜めに任意数設けた請求項１に記載の誘導ベルト付きリュックサック１であり掴む位置が自由に替えられる。
【００１２】
請求項５に記載の発明は、図５のリュックサックの背面部２に手で掴める誘導ベルト３を、吊り輪状に任意数設けた請求項１に記載の誘導ベルト付きリュックサック１であり吊り輪状のベルトに捕まる事で誘導者と被誘導者との間隔が開くので坂道等を歩く時に楽である。
【００１３】
誘導ベルト付きリュックサック１の背面部２、もしくは本体に保護材を使用すれば何らかの衝撃を受けた場合に人体を保護する効果がある。
【００１４】
リュックサックの背面部２にポケットがある場合、ポケットも背面部２に含める。したがってポケット上に誘導ベルト３を設けて良い。
【００１５】
誘導ベルト３の取り付けは着脱自在も含む任意の方法でよい。
【００１６】
以上、実施例を以って説明したが誘導ベルト付きリュックサック１の材質、デザイン、大きさ、誘導ベルトの数、誘導ベルトの取り付け位置、形状、材質の組み合わせ等は本発明の要旨の範囲内において自由に変更出来るものである。
【００１７】
【発明の効果】
以上のように、本発明の誘導ベルト付きリュックサックは背面に手で掴める誘導ベルトを適宜の位置に単数又は複数設けたもので、これによって視覚障害者や高齢者は誘導者が背負った誘導ベルト付きリュックサックの誘導ベルトに捕まって歩行すれば目の前や足元を気にせず誘導者に導かれ安心してついて歩いて行くことができる。
【００１８】
又、誘導ベルト付きリュックサックを誘導者が背負う事で被誘導者との間隔が開くので歩行の際、誘導者と被誘導者の足と足とが接触する心配が無くなる。
【図面の簡単な説明】
【図１】本発明の実施形態を示す斜視図である。
【図２】本発明の実施形態を示す正面図である。
【図３】本発明の実施形態を示す正面図である。
【図４】本発明の実施形態を示す正面図である。
【図５】本発明の実施形態を示す正面図である。
【図６】誘導ベルト付きリュックサックの使用図である。
【符号の説明】
１    誘導ベルト付きリュックサック
２    リュックサックの背面部
３    誘導ベルト
４    開閉口
５    肩掛け紐
【図１】
2004209190.tif 000003
【図２】
2004209190.tif 000004
【図３】
2004209190.tif 000005
【図４】
2004209190.tif 000006
【図５】
2004209190.tif 000007
【図６】
2004209190.tif 000008